(57)【要約】【課題】例えば、燃料集合体の破損につながる危険性のある異物が、使用済燃料プール内に飛散・混入してしまう事態の発生を確実に防止し、また、使用済燃料プール廻りへの設置および撤去が容易に行えるようにした、原子力発電所における手摺装置を提供する。【解決手段】本発明に係る原子力発電所における手摺装置は、原子力発電所における使用済燃料プールの廻りに設置される手摺であり、該手摺は、内側に遮蔽板を設けた手摺枠と、互いに隣接配置された手摺枠相互間の隙間を塞ぐための重ね合わせ式の連結部と、手摺枠の下側にハンガーレールを介して取り付けられた垂れ幕状の異物混入防止シートを備えている。また、手摺は、可倒式・取外式・固定式のいずれかのものである。【選択図】図１
2009085867.tif 000002
【特許請求の範囲】
【請求項１】
原子力発電所における使用済燃料プールの廻りに設置される手摺であり、該手摺は、内側に遮蔽板を設けた手摺枠と、互いに隣接配置された手摺枠相互間の隙間を塞ぐための重ね合わせ式の連結部と、手摺枠の下側にハンガーレールを介して取り付けられた垂れ幕状の異物混入防止シートを備えていることを特徴とする原子力発電所における手摺装置。
【請求項２】
手摺は、可倒式・取外式・固定式のいずれかのものである請求項１に記載の原子力発電所における手摺装置。
【請求項３】
可倒式手摺は、手摺枠が一端方向に折り畳み可能となって支持されるよう、使用済燃料プール周縁に設置されたブラケット可動部を備えている請求項２に記載の原子力発電所における手摺装置。
【請求項４】
ブラケット可動部は、上下一対の前傾斜向状の長孔と、上側に位置する長孔の上端から前方下側に向けて延設された円弧状のガイド孔とを穿設してなる左右一対の板材と、手摺枠の脚部の下端を両板材間に挿入して固定する上部側蝶ボルトと、両板材の下側に位置する長孔に貫通され、手摺枠の脚部の下端を回動可能となるように支持する支持ボルトと、両板材の上側に位置するガイド孔を有する長孔に貫挿され、手摺枠の脚部下端と一体となって配置される固定用の下部側蝶ナットを備え、下部側蝶ナットを緩めてから手摺枠を上側に引き上げることで、下部側蝶ナットおよび支持ボルトを各長孔に沿って斜め上向きにスライド移動させてから、支持ボルトを中心として下部側蝶ナットを円弧状のガイド孔に沿ってスライド移動させながら手摺枠を傾倒させる請求項３に記載の原子力発電所における手摺装置。
【請求項５】
手摺枠を撤去した状態の使用済燃料プール廻りを、安全ロープで区画して手摺枠の代替として使用可能とするよう、ベース部に立設される可倒式ポールと、前記ブラケット可動部を介して立設される固定式ポールと、可倒式ポール、固定式ポール上端のリングに挿入される安全ロープとを備えている請求項３または４に記載の原子力発電所における手摺装置。
【請求項６】
手摺枠の上側には、治具吊下用のフックおよび浮輪掛用のフックを取り付けると共に、手摺枠の内側の遮蔽板には、周囲の目に付き易い場所への注意事項・放射線標識等の看板受け用の取付座が付設されている請求項１乃至５のいずれかに記載の原子力発電所における手摺装置。
【発明の詳細な説明】
【技術分野】
【０００１】
本発明は、例えば、原子力発電所における使用済燃料プールの廻りに設置される、原子力発電所における手摺装置に関するものである。
【背景技術】
【０００２】
従来においては、図１０に示すように、原子力発電所における使用済燃料プールＰ、気水分離器等貯蔵プールを連設した原子炉、その他の廻りには、一般的な曲げ加工を施したパイプ構造の手摺Ｌが設置されている。
【０００３】
この手摺Ｌは、単に人身安全上を考慮して設置されるものであり、使用済燃料プールＰ、気水分離器等貯蔵プールを連設した原子炉内に、例えば、ボルト・ナット・座金・金属片・塗膜片・シート・テープ等の異物の混入を防止できるものではない。
【０００４】
そして、近年の原子力発電所においては、このような異物（特に金属類）の混入による燃料破損、すなわちデブリ破損が頻発していることから、使用済燃料プールＰ、気水分離器等貯蔵プールを連設した原子炉の廻りに設置されている手摺Ｌ自体を、例えば、シートやテープ等にて養生する異物混入防止対策が取られている。
【０００５】
このデブリ破損は、例えば、図１１に示すように、金属片異物である、所謂デブリが燃料集合体Ｒの中に混入し、スペーサ部Ｓ等に捕捉された状態で流体により振動し、燃料被覆管の表面が摩耗する、所謂フレッティングを起こすことである。
【特許文献１】特になし
【発明の開示】
【発明が解決しようとする課題】
【０００６】
しかしながら、従来においては、各手摺自体を、例えば、シートやテープ等で養生しているものの、手摺同士の間には隙間が生じていることから、使用済燃料プール側、原子炉側とフロア側とを完全に隔離することができず、このためにフロア側から飛散した金属片等の異物がその隙間を通じて混入する虞がある。
【０００７】
また、手摺の不十分な養生の方法や、手摺の長期的な養生使用による劣化等のために、二次的な災害としてシート片・テープ片が使用済燃料プール、気水分離器等貯蔵プールを連設した原子炉内に混入するというトラブルが頻繁に生じていた。
【０００８】
そこで、本発明は如上のような従来存した諸事情に鑑み創出されたもので、例えば、燃料集合体の破損につながる危険性のある異物が、使用済燃料プール内に飛散・混入してしまう事態の発生を確実に防止し、また、使用済燃料プール廻りへの設置および撤去が容易に行えるようにした、原子力発電所における手摺装置を提供することを目的とする。
【課題を解決するための手段】
【０００９】
本発明に係る原子力発電所における手摺装置は、原子力発電所における使用済燃料プールの廻りに設置される手摺であり、該手摺は、内側に遮蔽板を設けた手摺枠と、互いに隣接配置された手摺枠相互間の隙間を塞ぐための重ね合わせ式の連結部と、手摺枠の下側にハンガーレールを介して取り付けられた垂れ幕状の異物混入防止シートを備えていることで、上述した課題を解決した。
【００１０】
また、手摺は、可倒式・取外式・固定式のいずれかのものであることで、同じく上述した課題を解決した。
【００１１】
さらに、可倒式手摺は、手摺枠が一端方向に折り畳み可能となって支持されるよう、使用済燃料プール周縁に設置されたブラケット可動部を備えていることで、同じく上述した課題を解決した。
【００１２】
また、ブラケット可動部は、上下一対の前傾斜向状の長孔と、上側に位置する長孔の上端から前方下側に向けて延設された円弧状のガイド孔とを穿設してなる左右一対の板材と、手摺枠の脚部の下端を両板材間に挿入して固定する上部側蝶ボルトと、両板材の下側に位置する長孔に貫通され、手摺枠の脚部の下端を回動可能となるように支持する支持ボルトと、両板材の上側に位置するガイド孔を有する長孔に貫挿され、手摺枠の脚部下端と一体となって配置される固定用の下部側蝶ナットを備え、下部側蝶ナットを緩めてから手摺枠を上側に引き上げることで、下部側蝶ナットおよび支持ボルトを各長孔に沿って斜め上向きにスライド移動させてから、支持ボルトを中心として下部側蝶ナットを円弧状のガイド孔に沿ってスライド移動させながら手摺枠を傾倒させることで、同じく上述した課題を解決した。
【００１３】
加えて、手摺枠を撤去した状態の使用済燃料プール廻りを、安全ロープで区画して手摺枠の代替として使用可能とするよう、ベース部に立設される可倒式ポールと、前記ブラケット可動部を介して立設される固定式ポールと、可倒式ポール、固定式ポール上端のリングに挿入される安全ロープとを備えていることで、同じく上述した課題を解決した。
【００１４】
また、手摺枠の上側には、治具吊下用のフックおよび浮輪掛用のフックを取り付けると共に、手摺枠の内側の遮蔽板には、周囲の目に付き易い場所への注意事項・放射線標識等の看板受け用の取付座が付設されていることで、同じく上述した課題を解決した。
【発明の効果】
【００１５】
本発明によれば、燃料集合体の破損につながる危険性のある異物が、使用済燃料プール内に飛散・混入してしまう事態の発生を確実に防止することができる。また、使用済燃料プール廻りへの手摺の設置および撤去が容易に行える。
【００１６】
具体的には、原子力発電所における使用済燃料プールの廻りに設置される手摺であり、該手摺は、内側に遮蔽板を設けた手摺枠と、互いに隣接配置された手摺枠相互間の隙間を塞ぐための重ね合わせ式の連結部と、手摺枠の下側にハンガーレールを介して取り付けられた垂れ幕状の異物混入防止シートを備えていることから、燃料集合体の破損につながる危険性のある異物が使用済燃料プールに飛散・混入してしまう事態の発生を確実に防止することができる。
【００１７】
また、手摺は、可倒式・取外式・固定式のいずれかのものであることから、原子力発電所における使用済燃料プールの廻りに、好ましい状況を実現できる手摺を、適宜選択して設置することができる。
【００１８】
さらに、可倒式手摺は、手摺枠が一端方向に折り畳み可能となって支持されるよう、使用済燃料プール周縁に設置されたブラケット可動部を備えているので、燃料取替機の移動等の作業が容易に行える。
【００１９】
さらに、ブラケット可動部は、上下一対の前傾斜向状の長孔と、上側に位置する長孔の上端から前方下側に向けて延設された円弧状のガイド孔とを穿設してなる左右一対の板材と、手摺枠の脚部の下端を両板材間に挿入して固定する上部側蝶ボルトと、両板材の下側に位置する長孔に貫通され、手摺枠の脚部の下端を回動可能となるように支持する支持ボルトと、両板材の上側に位置するガイド孔を有する長孔に貫挿され、手摺枠の脚部下端と一体となって配置される固定用の下部側蝶ナットとを備え、下部側蝶ナットを緩めてから手摺枠を上側に引き上げることで、下部側蝶ナットおよび支持ボルトを各長孔に沿って斜め上向きにスライド移動させてから、支持ボルトを中心として下部側蝶ナットを円弧状のガイド孔に沿ってスライド移動させながら手摺枠を傾倒させるので、安全で、しかもワンタッチで折り畳むことができる可倒式手摺を、簡易な構成で且つ安価に作製することができる。
【００２０】
また、手摺枠を撤去した状態の使用済燃料プール廻りを、安全ロープで区画して手摺枠の代替として使用可能とするよう、ベース部に立設される可倒式ポールと、前記ブラケット可動部を介して立設される固定式ポールと、可倒式ポール、固定式ポール上端のリングに挿入される安全ロープとを備えているので、燃料取替機の移動完了後における安全対策用の安全ロープを、使用済燃料プールの廻りに容易に設置することができ、しかも、これらの解体撤去も容易に行える。
【００２１】
この他、手摺枠の上側には、治具吊下用のフックおよび浮輪掛用のフックを取り付けると共に、手摺枠の内側の遮蔽板には、周囲の目に付き易い場所への注意事項・放射線標識等の看板受け用の取付座が付設されているので、燃料取替機の移動等の使用済燃料プールでの作業における注意喚起が図れる。
【発明を実施するための最良の形態】
【００２２】
以下に、本発明を実施するための最良の形態を、図面を参照して説明する。
【００２３】
本発明に係る原子力発電所における手摺装置は、図１に示すように、使用済燃料プールＰ廻りに設置されるもので、可倒式手摺１ａ、取外式手摺１ｂ、固定式手摺１ｃのそれぞれの３体によって構成されている。
【００２４】
例えば、低床式燃料取替機が設置されている使用済燃料プールＰの原子炉に通じる一端側には、燃料取替機の移動等の作業のために、可倒式手摺１ａと取外式手摺１ｂを採用している。また、その他の使用済燃料プールＰ廻りには、固定式手摺１ｃが設置されている。尚、原子炉は気水分離器等貯蔵プールと連通している。
【００２５】
この低床式燃料取替機の下端は、燃料取替床面と高さ方向が略同レベルであり、作業の都度、高さ約１ｍ程度の手摺Ｌの取り外しが必要となるため、その場で手摺Ｌを倒せる構造にすることで、燃料取替作業等の各作業時間の短縮と作業者の負担軽減が図れるようにしている。
【００２６】
すなわち、この可倒式手摺１ａの具体的な構成としては、図２（ｂ）、図３（ａ）に示すように、略長方形を呈する手摺枠２の内側に金属製等の遮蔽板２ａを設けている。この遮蔽板２ａは、焼き付け塗装を施したことから、除染性に優れ、養生の必要が一切無く、劣化したシート片やテープ片の混入も無くなるようにしている。
【００２７】
さらに、図２（ａ）、図２（ｂ）に示すように、手摺枠２相互間には、この隙間を無くすためにプレートの重ね合わせによる連結部５を設けている。
【００２８】
また、図３（ｂ）に示すように、手摺枠２の下枠側には、ハンガーレール２１が設けられ、高線量物品の仮置きに伴うワイヤ固縛等の作業性を考慮して、透明に近いウレタン製素材による垂れ幕状の異物混入防止シート２２が、当該ハンガーレール２１に掛架して床面に接するように取り付けられている。
【００２９】
このハンガーレール２１は、横長となった角筒材の下面に長手方向に沿ってスリット部２３を設け、また、両側は開口されている。そして、一方の開口部側から、一端を棒材２４に巻いた異物混入防止シート２２の当該棒材２４を挿入し、スリット部２３から異物混入防止シート２２の下側が引き出されるように取り付けられるものとしている。
【００３０】
尚、スリット部２３の開口縁部には、引き出される異物混入防止シート２２を傷付けて破断させないように、丸棒２５が配されている。これにより、フロア側から使用済燃料プールＰ内への異物の混入防止が図れるように構成されている。
【００３１】
また、図８、図９に示すように、手摺枠２の左右両端側から下方に延設した両脚部３が、使用済燃料プールＰ周縁にベース部４を介して設置されたブラケット可動部１１によってそれぞれ支持されており、手摺枠２自体を一端方向に折り畳み可能となるようにしている。
【００３２】
このブラケット可動部１１は、図４（ａ）および図４（ｂ）に示すように、相対峙する一対の板材１２の後側端が逆Ｌ字形の取付部材１３によってボルト１４を介して前記ベース部４に固定されており、この両板材１２それぞれには上下一対の前傾斜向状の長孔１５ａ，１５ｂが穿設され、上側に位置する長孔１５ａの上端からは前方下側に向けて円弧状のガイド孔１５ｃが延設されている。
【００３３】
そして、手摺枠２の脚部３の下端を挿入して脚部固定用の上部側蝶ボルト１６によって当該脚部３を着脱自在となるように固定してなる角筒状の支持パイプ１７が、相対峙する一対の板材１２相互間に嵌り込み、両板材１２の下側に位置する長孔１５ｂに貫通される支持ボルト１８で支持パイプ１７の下端を回動可能となるように支持している。
【００３４】
また、図４（ａ）および図４（ｂ）に示すように、板材１２の上側に位置するガイド孔１５ｃを有する長孔１５ａには、ブラケット可動部１１の固定用の下部側蝶ナット１９が貫挿され、支持パイプ１７の前側面で貫通するようにしてあり、該下部側蝶ナット１９自体は、緩めることができるようにしている。
【００３５】
このブラケット可動部１１に対して手摺枠２を傾倒するに際し、先ず、下部側蝶ナット１９を緩めておき、手摺枠２を上側に約３ｃｍ程度引き上げることにより、下部側蝶ナット１９および支持ボルト１８は各長孔１５ａ，１５ｂに沿って斜め上向きにスライド移動し、さらに手摺枠２を前側に倒すことで、支持ボルト１８を中心として下部側蝶ナット１９が円弧状のガイド孔１５ｃに沿ってスライド移動することから、確実且つ容易に手摺枠２を傾倒することができるように構成されている。
【００３６】
また、手摺枠２を撤去した状態の使用済燃料プールＰ廻りを、代替の安全ロープ３１で区画できるようにしている。
【００３７】
すなわち、前記ブラケット可動部１１から手摺枠２を解体除去し、該ブラケット可動部１１を介して、図５（ｄ）乃至（ｅ）に示す固定式ポール３３を立設させる。
【００３８】
さらに、該ブラケット可動部１１が存在しない箇所には、使用済燃料プールＰ廻りのベース部４に沿って可倒式ポール３２を等間隔置きに、図５（ｂ）に示すボルト１４で固定し、立設させるようにしている。
【００３９】
そして、これら可倒式ポール３２、固定式ポール３３上端のリング３２ａ、３３ａに、安全ロープ３１を挿入している。
【００４０】
こうして、安全ロープ３１を張設する場合には、安全ロープ３１の不図示のフックを可倒式ポール３２、固定式ポール３３上端のリング３２ａ、３３ａに順次挿通して行き、不図示のカナル部まで到達したら、最後の固定式ポール３３上端のリング３３ａにフックを取り付ける。
【００４１】
さらに、図６（ａ）に示すように、燃料検査場所付近の手摺枠２の上側には、例えば、コ字状の枠をＵ字状に曲げてなる、浮輪掛用のフック４１ａを取り付けている。また、手摺枠２の上側には、図６（ｂ）に示すように、Ｃリング状に曲げてなる、治具吊下用のフック４１ｂを取り付けている。
【００４２】
さらに、図７（ａ）、（ｂ）に示すように、手摺枠２の内側の遮蔽板２ａには、周囲の目に付き易い場所への注意事項・放射線標識等の看板Ｑ受け用のスリット形枠材による複数個の取付座４２が付設されており、作業時の注意喚起等を図っている。
【００４３】
次に、以上のように構成された本発明の最良の形態について、組立、使用、動作の一例を説明する。
【００４４】
先ず、図１に示すように、通常設置状態においては、例えば、低床式燃料取替機が設置されている使用済燃料プールＰの原子炉に通じる一端側に、可倒式手摺１ａと取外式手摺１ｂを設置する。また、その他の使用済燃料プールＰ廻りには、固定式手摺１ｃを設置する。
【００４５】
燃料取替機を使用する場合、先ず、取外式手摺１ｂを不図示のブラケット部から取り外し、燃料取替機の走行に支障を来さない場所へ移動し仮置きする。
【００４６】
次に、可倒式手摺１ａの倒し操作準備を行う。このとき、ブラケット可動部１１から手摺枠２を倒す前に、脚部固定用の上部側蝶ボルト１６が確実に締め付けられていることを確認する（図４（ａ）参照）。
【００４７】
そして、図８に示すように、ブラケット可動部１１における固定用の下部側蝶ナット１９を緩めて、手摺枠２を上方へ引き上げる。このとき、下部側蝶ナット１９および支持ボルト１８は、各長孔１５ａ，１５ｂに沿って斜め上向きにスライド移動する（図４（ａ）参照）。
【００４８】
そして、図９に示すように、手摺枠２を手前に倒すと、支持ボルト１８を中心として下部側蝶ナット１９が、円弧状のガイド孔１５ｃに沿ってスライド移動しながら手摺枠２自体が横倒しされる。
【００４９】
このとき、ハンガーレール２１に吊り下げられた異物混入防止シート２２が、ブラケット可動部１１に挟まれないように、当該異物混入防止シート２２を手前に引き付けておく。そして、衝撃を与えないように、そのまま静かにフロアに置いておく。
【００５０】
そして、安全ロープ３１を取り外して燃料取替機を移動する。このとき、ブラケット可動部１１により、可倒式ポール３２をカーブライナーに沿って横倒させておく。
【００５１】
燃料取替機の移動完了後、安全対策用の安全ロープ３１を、使用済燃料プールＰの廻りに設置する。
【００５２】
このとき、安全ロープ３１の不図示のフックを可倒式ポール３２及び固定式ポール３３上端のリング３２ａ、３３ａに順次挿通して行き、不図示のカナル部まで到達したら、最後の固定式ポール３３上端のリング３３ａにフックを取り付ける。
【産業上の利用可能性】
【００５３】
本発明に係る原子力発電所における手摺装置は、使用済燃料プール以外に、例えば、原子炉廻りや、気水分離器等の貯蔵プール廻りに設置される等、様々な分野の手摺装置として、幅広く利用することができる。
【図面の簡単な説明】
【００５４】
【図１】使用済燃料プール、原子炉、気水分離器等の貯蔵プール廻りに、可倒式手摺、取外式手摺、固定式手摺のそれぞれを設置させた状態の斜視図である。
【図２】可倒式手摺、取外式手摺、固定式手摺の具体的構成を示すもので、（ａ）は平面図、（ｂ）は正面図、（ｃ）は手摺同士の接続部分を示す平面図である。
【図３】異物混入防止シートの取付例を示し、（ａ）は正面図、（ｂ）は要部を拡大した側面図である。
【図４】ブラケット可動部の一例を示し、（ａ）は側面図、（ｂ）は正面図である。
【図５】可倒式ポール・固定式ポールの一例を示し、（ａ）は可倒式ポールの正面図、（ｂ）は同じく側面図、（ｃ）は同じく平面図、（ｄ）は固定式ポールの正面図、（ｅ）は同じく平面図である。
【図６】フックの取付例を示し、（ａ）は浮輪掛用のフックの説明図、（ｂ）は治具吊下用のフックの説明図である。
【図７】手摺枠の内側の遮蔽板に対する看板受け用の取付座の一例を示すもので、（ａ）は平面図、（ｂ）は正面図である。
【図８】ブラケット可動部を介して、手摺枠を傾倒する前状態の斜視図である。
【図９】ブラケット可動部を介して、手摺枠を傾倒した状態の斜視図である。
【図１０】従来例における手摺の設置状態を示す斜視図である。
【図１１】従来例における燃料被覆管のフレッティングの一例を示す説明図である。
【符号の説明】
【００５５】
Ｐ…使用済燃料プール
Ｑ…看板
Ｌ…手摺
Ｒ…燃料集合体
Ｓ…スペーサ部
１ａ…可倒式手摺
１ｂ…取外式手摺
１ｃ…固定式手摺
２…手摺枠
２ａ…遮蔽板
３…脚部
４…ベース部
５…連結部
１１…ブラケット可動部
１２…板材
１３…取付部材
１４…ボルト
１５ａ，１５ｂ…長孔
１５ｃ…ガイド孔
１６…上部側蝶ボルト
１７…支持パイプ
１８…支持ボルト
１９…下部側蝶ナット
２１…ハンガーレール
２２…異物混入防止シート
２３…スリッド部
２４…棒材
２５…丸棒
３１…安全ロープ
３２…可倒式ポール
３２ａ…リング（１）
３３…固定式ポール
３３ａ…リング（２）
４１ａ…治具吊下用のフック
４１ｂ…浮輪掛用のフック
４２…取付座
【図１】
2009085867.tif 000003
【図２】
2009085867.tif 000004
【図３】
2009085867.tif 000005
【図４】
2009085867.tif 000006
【図５】
2009085867.tif 000007
【図６】
2009085867.tif 000008
【図７】
2009085867.tif 000009
【図８】
2009085867.tif 000010
【図９】
2009085867.tif 000011
【図１０】
2009085867.tif 000012
【図１１】
2009085867.tif 000013